(57)【要約】【課題】支持板に取付板を固定するネジなどが外れた場合であっても、取付板が落下するのを防止したい。【解決手段】照明器具１００は、光源（ＬＥＤ８１）が取り付けられた取付板（放熱板８３）と、前記取付板（放熱板８３）を前記光源が取り付けられた面の外周端部の一部を支持する取付部（中間取付部６３）が形成された支持板（中間支柱６１）と、前記支持板（中間支柱６１）に固定され被取付部に取り付けられるアーム２０と、前記取付部（中間取付部６３）を前記取付板（放熱板８３）に固定する固定具（ネジ１０４）とを備える。さらに、前記取付部（中間取付部６３）と前記取付板（放熱板８３）との間に、前記光源を覆うカバー９０の外周端部の一部を挟み込んでいる。【選択図】図８
2020074347.tif 000002
【特許請求の範囲】
【請求項１】
光源が取り付けられた取付板と、
前記取付板の前記光源が取り付けられた面の外周端部の一部を支持した取付部が形成された支持板と、
前記支持板に固定され、被取付部に取り付けられるアームと
を備えた照明器具。
【請求項２】
前記取付部を前記取付板に固定した固定具を備えた請求項１に記載の照明器具。
【請求項３】
前記取付部と前記取付板との間に、前記光源を覆うカバーの外周端部の一部を挟み込んだ請求項１又は請求項２に記載の照明器具。
【請求項４】
前記取付板は、放熱フィンが立設されている矩形状の放熱板である請求項１から３のいずれか１項に記載の照明器具。
【請求項５】
前記支持板は、照明器具の左右方向の中央に取り付けられている中間支柱を有し、
前記取付部は、前記中間支柱の下端から内側に向かって突出している中間取付部を有する請求項１から４のいずれか１項に記載の照明器具。
【発明の詳細な説明】
【技術分野】
【０００１】
本発明は、光源ユニットを用いた照明器具に関するものである。
【背景技術】
【０００２】
天井又は梁に取り付けられる照明器具あるいは高天井から吊り下げられる照明器具がある。
また、照明器具の本体内部の発熱部品に対して通気を可能にして効率よく放熱させる照明器具がある（特許文献１・図１参照）。
【先行技術文献】
【特許文献】
【０００３】
【特許文献１】特開２０１０−８０２４４号公報
【特許文献２】特開２０１４−０２６８０３号公報
【特許文献３】特開２０１４−００２９１６号公報
【特許文献４】特開２０１３−１８２７７７号公報
【発明の概要】
【発明が解決しようとする課題】
【０００４】
本発明の実施の形態では、照明器具において、光源が取り付けられた取付板の落下を防止する構造を提供したい。
【課題を解決するための手段】
【０００５】
本発明は、
光源が取り付けられた取付板と、
前記取付板の前記光源が取り付けられた面の外周端部の一部を支持した取付部が形成された支持板と、
前記支持板に固定され、被取付部に取り付けられるアームと
を備えたことを特徴とする。
【発明の効果】
【０００６】
この発明によれば、取付板を下側から支持することにより、支持板に取付板を固定するネジなどが外れた場合であっても、取付板が落下するのを防止することができる。
【図面の簡単な説明】
【０００７】
【図１】実施の形態１の照明器具１００の斜視図である。
【図２】実施の形態１の照明器具１００の正面図である。
【図３】実施の形態１の照明器具１００の左側面図である。
【図４】実施の形態１の照明器具１００の底面図である。
【図５】実施の形態１の照明器具１００の平面図である。
【図６】実施の形態１の照明器具１００の正面図の中央断面図である。
【図７】実施の形態１の照明器具１００の分解斜視図である。
【図８】実施の形態１の光源ユニット８０、カバー９０、及び、支柱枠組５０の斜視図である。
【図９】実施の形態１のヒートシンク８２の斜視図である。
【図１０】実施の形態２の正四角柱の照明器具１００の斜視図である。
【図１１】実施の形態２の正四角柱の照明器具１００の４面図と断面図である。
【図１２】実施の形態２の正四角柱の照明器具１００の分解斜視図である。
【図１３】実施の形態２の２個の光源ユニットを有する照明器具１００の斜視図である。
【図１４】実施の形態２の２個の光源ユニットを有する照明器具１００の４面図と断面図である。
【図１５】実施の形態２の２個の光源ユニットを有する照明器具１００の斜視図である。
【図１６】実施の形態２の２個の光源ユニットを有する照明器具１００の４面図と断面図である。
【図１７】実施の形態３の支柱枠組５０の平面概略図である。
【図１８】実施の形態３の主支柱５３の斜視図である。
【図１９】実施の形態４のＨ形の支柱部１１０を用いた照明器具１００の斜視図である。
【図２０】実施の形態４のＨ形の支柱部１１０を用いた照明器具１００の斜視図である。
【図２１】実施の形態４のＨ形の支柱部１１０を用いた照明器具１００の分解斜視図である。
【図２２】実施の形態４のＨ形の支柱部１１０を用いた照明器具１００の部分的分解斜視図である。
【図２３】実施の形態４のカバー１９０の凸部１９３と反射鏡１８０の凸受部１８５との嵌め込み構造の斜視図である。
【図２４】実施の形態４の図２２の光源ユニット８０と反射鏡１８０とカバー１９０のＳＳ断面図である。
【図２５】実施の形態４のＨ形の支柱部１１０の展開図である。
【図２６】実施の形態４の反射鏡１８０の他の構成図である。
【図２７】実施の形態４のＨ形の支柱部１１０の他の構成図である。
【図２８】実施の形態４のＨ形の支柱部１１０の他の展開図である。
【図２９】実施の形態４の支柱部１１０の他の展開図である。
【図３０】実施の形態４の２×３の光源ユニット８０を用いた照明器具１００の斜視図である。
【図３１】実施の形態４の２×３の光源ユニット８０を用いた照明器具１００の分解斜視図である。
【図３２】実施の形態４の２個の２×２の光源ユニット８０を用いた照明器具１００の斜視図である。
【図３３】実施の形態４の２個の２×２の光源ユニット８０を用いた照明器具１００の分解斜視図である。
【図３４】実施の形態４の２個の２×３の光源ユニット８０を用いた照明器具１００の斜視図である。
【図３５】実施の形態４の２個の２×３の光源ユニット８０を用いた照明器具１００の分解斜視図である。
【発明を実施するための形態】
【０００８】
実施の形態１．
以下に説明する各図において、Ｚは上下方向を示す。
Ｘは、左右方向すなわち横方向を示す。
Ｙは、前後方向すなわち奥行き方向を示す。
Ｘ、Ｙ、Ｚは、直交しており、Ｘ、Ｙは水平方向であり、Ｚは垂直方向である。
また、以下において、「ネジ止め」という場合には、ネジがねじ込まれるネジ穴がネジ止めされる複数の部品にそれぞれ存在するものとする。
【０００９】
＊＊＊構成の説明＊＊＊
＜＜＜照明器具１００の構成＞＞＞
【００１０】
図１、図７に示すように、照明器具１００は、アーム２０と、電源ユニット３０と、天板４０と、支柱枠組５０と、光源ユニット８０と、カバー９０とを有する。
アーム２０は、照明器具１００を、天井又は梁に取り付けるものである。
図１、図２に示すように、アーム２０の両端部は、照明器具１００の両側面の中央に取り付けられている。
図３、図６に示すとおり、アーム２０は、コ字状又はＵ字形状をしている。アーム２０の両端部には、上下に弧状穴２４と軸穴２８がある。
電源ユニット３０は、光源ユニット８０に電力を供給する電源回路を有している。
電源ユニット３０は、六面体の箱状の金属製筐体を有する。
天板４０は、上面中央に電源ユニット３０を載せて電源ユニット３０を固定している。
天板４０は、支柱枠組５０の上面に固定され、光源ユニット８０を覆っている。
天板４０は、金属製である。
天板４０は、板部４２とスカート部４４とを有している。
板部４２は、上面中央に電源ユニット３０を載せて電源ユニット３０を固定している。
板部４２は、矩形の薄い平板である。
板部４２は、中央付近に電源ユニット３０を固定する４個のネジ穴を有する。
板部４２は、左右方向の中央で前後方向の端縁部に中間支柱６１を固定するネジ穴を有する。
スカート部４４は、板部４２の外周の端部からスカート状に垂れた板である。
スカート部４４は、天板４０の強度補強のために設けられている。
スカート部４４は、天板４０の角に沿って直角に曲げられ、天板４０の角の下方をカバーしている。
スカート部４４は、左右に１個ずつあり、平面形状が、コ字形をしている。
スカート部４４は、４個すべての主支柱の上端の外面を覆っている。
スカート部４４は、支柱板５６の上端を締結するネジ穴を有する。
支柱枠組５０は、光源ユニット８０を収納している。支柱枠組５０の上面は、天板４０で覆われている。支柱枠組５０の下面は、カバー９０で覆われている。
支柱枠組５０は、金属製である。
光源ユニット８０は、支柱枠組５０に固定され、電源ユニット３０から電力の供給を受け、光源を発光させる。
カバー９０は、支柱枠組５０に固定され、光源ユニット８０の前面を覆っている。
カバー９０は、プラスチック製又は樹脂製である。
【００１１】
図４、図５に示すように、照明器具１００の平面形状は、矩形あるいは長方形である。
天板４０と、支柱枠組５０と、光源ユニット８０と、カバー９０の平面形状はほぼ同じサイズの四角形状であり、照明器具１００の平面形状と同じ四角形状である。
【００１２】
＜＜＜支柱枠組５０の構成＞＞＞
図８に示すとおり、支柱枠組５０は、柱状の配置空間９２を形成している。
ここで、「配置空間」とは、一つの光源ユニット８０を配置する空間をいう。
図８では、配置空間９２は、四角柱である。
支柱枠組５０の配置空間９２の上部と下部とは解放されており、支柱枠組５０の上部には、上開口部９４が形成され、支柱枠組５０の下部には、下開口部９５が形成されている。
【００１３】
図８に示すとおり、支柱枠組５０は、以下の部品からなる。１．４個の主支柱（２個の主支柱５１、２個の主支柱５２）
２．４個のガード（２個のガード７１、２個のガード７２）
３．２個の中間支柱６１
【００１４】
主支柱は、１枚の金属板を直角に折り曲げたものである。
主支柱は、四角柱の配置空間９２の４か所のコーナに設けられている。
主支柱は、上開口部９４から下開口部９５に渡って配置されている。
２個の主支柱５１は、配置空間９２の対角線上のコーナに設けられている。
２個の主支柱５２は、配置空間９２の別な対角線上のコーナに設けられている。
主支柱５１は、矩形の支柱板５５と支柱板５６を有している。
支柱板５５と支柱板５６とは、上開口部９４から下開口部９５に渡って配置された長板であり、支柱板５５の面と支柱板５６の面とは直交している。
主支柱の高さが、支柱枠組５０の高さ、すなわち、配置空間９２の高さとなる。
主支柱５１の支柱板５５は、下端に配置空間９２の内側に向かって突出した主取付部５７を有する。主取付部５７の中央には、ネジ穴５９がある。
主支柱５１の支柱板５６は、上端にネジ挿入部６０を有する。ネジ挿入部６０はネジ穴である。
支柱板５５と支柱板５６とは、上下に配置された３個のネジ穴５８を有する。
【００１５】
主支柱５２の構成は、主支柱５１の構成と、支柱板５５と支柱板５６の位置が逆になる点を除き同じである。すなわち、図８の支柱枠組５０の中央から見て、主支柱５１は支柱板５５の左サイドに支柱板５６があり、主支柱５２は支柱板５５の右サイドに支柱板５６がある。
【００１６】
ガード７１とガード７２は、長さが異なる金属板である。
ガード７１とガード７２の長さの比は、２：３である。
ガード７１は、前後方向にある主支柱を連結している。
ガード７２は、左右方向にある主支柱を連結している。
【００１７】
ガード７１とガード７２は、両端部にネジ穴がある。
ガードのネジ穴と支柱板のネジ穴とをネジでネジ止めする。
図８においては、支柱板の上下方向にある３個のネジ穴５８のうち、中央のネジ穴５８にガードをネジ止めしている。したがって、ガード７１とガード７２は、配置空間９２の上下方向の中央を横切って配置されている。
ガード７１とガード７２は、中央にガード穴７５を有している。
【００１８】
中間支柱６１は、２本の主支柱の間に、２本の主支柱と平行に取り付けられている。
中間支柱６１の高さは、主支柱の高さと同じである。
中間支柱６１は、金属製である。
中間支柱６１は、矩形の平板６２を有している
中間支柱６１の平板６２は、下端に配置空間９２の内側に向かって突出した中間取付部６３を有する。中間取付部６３には、左右２個のネジ穴６８がある。
中間支柱６１の平板６２は、上端に配置空間９２の内側に向かって突出した天取付部６５を有する。天取付部６５には、左右２個のネジ穴がある。
中間支柱６１は、上下方向に２個の平板穴を有する。すなわち、平板６２の中央に、平板穴６７を有し、平板穴６７の上に平板穴６６を有する。平板穴６７の位置は、ガード７２のガード穴７５の位置と一致している。
中間支柱６１の平板６２は、左右の長辺に沿って、配置空間９２の内側に向かって突出した補強部６４を有する。補強部６４は、ガード７２と重なる部分を除き、合計４か所に形成されている。
【００１９】
上開口部９４の外郭面積と、下開口部９５の外郭面積は、同じである。
中間支柱６１を取り付けていない支柱枠組５０の場合、上開口部９４には２個の天取付部６５があるので、上開口部９４の開口面積は、２個の天取付部６５の面積を除いた面積となる。
下開口部９５には４個の主取付部５７と２個の中間取付部６３があるので、下開口部９５の開口面積は、４個の主取付部５７と２個の中間取付部６３の面積を除いた面積となる。
その結果、上開口部９４の開口面積は、下開口部９５の開口面積より大きい。
中間支柱６１を取り付けていない支柱枠組５０の場合、上開口部９４には２個の天取付部６５がなく、下開口部９５には４個の主取付部５７があるので、上開口部９４の開口面積は、下開口部９５の開口面積より大きい。
【００２０】
＜＜＜支柱枠組５０の主支柱と中間支柱とのネジ穴の位置＞＞＞
図４は、照明器具１００の底面図である。
４個の主支柱の主取付部５７は、ネジ穴５９を介して、カバー９０のコーナにネジ止めされている。
中間支柱６１は、照明器具１００の左右方向の中央に取り付けられている。
中間支柱６１の中間取付部６３は、２個のネジ穴６８を介して、カバー９０の中央部分にネジ止めされている。
左右方向において、支柱枠組５０の端部とネジ穴５９との距離Ｗ１０は、支柱枠組５０の左右２等分線とネジ穴６８との距離Ｗ９と等しい。
【００２１】
＜＜＜光源ユニット８０の構成＞＞＞
図８に示すように、光源ユニット８０は、ヒートシンク８２とＬＥＤ基板８６とを有している。
ＬＥＤ基板８６の上面全体は、ヒートシンク８２の下面全体に、面接触している。
ＬＥＤ基板８６は、左右方向に３個のＬＥＤ８１を配置し、前後方向に２個のＬＥＤ８１を配置し、合計６個のＬＥＤ８１を配列している。
以下、Ｍ個のＬＥＤ８１を行に配置し、Ｎ個のＬＥＤ８１を列に配置した光源ユニット８０を、Ｍ×Ｎの光源ユニット８０と呼ぶことにする。
【００２２】
図６に示すように、カバー９０はＬＥＤ８１に対応するようにＭ×Ｎ個の反射鏡８７を有している。なお、反射鏡８７の開口部（頂部側または底部側）は透明または透光性の樹脂部品で蓋をするあるいは光学レンズを挿入するようにするとカバー９０内にほこりなどが入り込まないようにすることができる。また光学部品により光学特性を変えることができる。
図６に示すように、ＬＥＤ８１には、反射鏡８７が取り付けられる。図７では、反射鏡８７を図示していないが、各ＬＥＤ８１に対応して、反射鏡８７がカバー９０に取り付けられる。
【００２３】
＜＜＜ヒートシンク８２の構成＞＞＞
図９に示すように、ヒートシンク８２は、矩形状の放熱板８３と、複数の放熱フィン８４とを有する。ヒートシンク８２は、金属製である。
放熱フィン８４は、放熱板８３から立設されている。
放熱フィン８４は、高さＨ１、幅Ｈ２の矩形平板である。
放熱フィン８４は、前後方向に並列に等間隔で配列されている。
左右方向に隣り合う放熱フィン８４は、長さＷ２のフィン隙間８５を間にして配置されている。
放熱フィン８４の高さＨ１と幅Ｈ２との比は、１：１である。
フィン隙間８５の長さＷ２と放熱フィン８４の幅Ｈ２との比は、１：５である。
【００２４】
放熱フィン８４は、少なくともＬＥＤ８１の直上に配置されている。
フィン隙間８５は、ＬＥＤ８１が配置されていない場所に形成されている。
フィン隙間８５は、光源ユニット８０の左右方向に配置された３個のＬＥＤ８１の間にあり、光源ユニット８０の前後方向に渡って溝状に形成されている。
フィン隙間８５は、２行３列のＬＥＤが配列されている２×３の光源ユニット８０に対して、３列のＬＥＤの間に２個だけ形成される。
すなわち、フィン隙間８５は、Ｍ行Ｎ列のＬＥＤが配列されているＭ×Ｎの光源ユニット８０に対し、Ｍ＜Ｎの場合に、Ｎ列のＬＥＤの間にＮ−１個だけ形成される。
以上のように、ヒートシンク８２はＬＥＤ８１の配置に合わせて放熱フィン８４を配置している。
【００２５】
＊＊＊放熱構造の説明＊＊＊
図２を用いて、放熱構造について説明する。
図２に示す記号の意味は以下のとおりである。
Ｗ１：放熱空間９６の上下方向の長さ
Ｗ２：フィン隙間８５の左右方向の長さ
Ｗ３：上通気窓９８の上下方向の長さ
Ｗ４：下通気窓９９の上下方向の長さ
Ｗ５：中間支柱６１の幅
Ｗ６：ガード７２の上下方向の長さ
Ｗ７：主支柱５１と主支柱５２との支柱板５５と支柱板５６との左右方向の幅
Ｗ８：上通気窓９８と下通気窓９９の左右方向の長さ
【００２６】
ヒートシンク８２は、放熱空間９６を介して天板４０に覆われている。
支柱枠組５０は、ヒートシンク８２と天板４０との間に長さＷ１の放熱空間９６を形成して、光源ユニット８０と天板４０とを固定している。すなわち、放熱フィン８４の上端と天板４０の下面との間には、長さＷ１の放熱空間９６が存在する。
長さＷ１は、放熱フィン８４の高さＨ１の０．５倍以上あることが好ましい。あるいは、長さＷ１は、４０ｍｍ以上であることが好ましい。
【００２７】
図２に示すとおり、ガード７２は、主支柱の上下方向の中央部分を連結しており、ガード７２の上下の長さは、長さＷ６である。
照明器具１００は、ガード７２から主支柱の上端まで長さＷ３の上通気窓９８を有する。
照明器具１００は、ガード７２から主支柱の下端まで長さＷ４の下通気窓９９を有する。
上通気窓９８と下通気窓９９との左右方向の長さは、長さＷ８である。
上通気窓９８は、ガード７２の上端と支柱枠組５０の上面との間にあり、上通気窓９８の長さＷ３は、放熱空間９６の長さＷ１以上の長さである。
下通気窓９９は、ガード７２の下端と支柱枠組５０の下面との間にあり、上通気窓９８の長さＷ３と、下通気窓９９の長さＷ４とは、同じ又は同等の長さである。
上通気窓９８と下通気窓９９との左右方向の幅Ｗ８は、主支柱と中間支柱との間の距離である。
上通気窓９８と下通気窓９９との左右方向の幅Ｗ８は、支柱枠組５０の長辺の長さから、中間支柱６１の幅Ｗ５と、主支柱５１の支柱板５５の幅Ｗ７と、主支柱５２の支柱板５５の幅Ｗ７とを減じた長さの半分である。
図３のとおり、上通気窓９８と下通気窓９９との前後方向の幅は、支柱枠組５０の短辺の長さから、主支柱５１の支柱板５６の幅Ｗ７と、主支柱５２の支柱板５６の幅Ｗ７とを減じた長さである。
以上の構造により、放熱空間９６の前後左右は、６か所の上通気窓９８により外部空間と連通している。また、ヒートシンク８２の前後左右は、６か所の下通気窓９９により外部空間と連通している。
【００２８】
放熱フィン８４と放熱フィン８４の間には、長さＷ２のフィン隙間８５が存在する。
フィン隙間８５の長さＷ２は、放熱フィン８４の幅Ｈ２の０．２倍以上あることが好ましい。あるいは、長さＷ２は、１０ｍｍ以上であることが好ましい。
図２に示すとおり、中間支柱６１の幅Ｗ５は、放熱フィン８４の幅Ｈ２よりも小さい。
フィン隙間８５は、支柱枠組５０の側面視で、中間支柱６１と重ならない位置に形成されている。
フィン隙間８５は、支柱枠組５０の側面視で、下通気窓９９に露出されている位置に形成されている。
【００２９】
図２において、中間支柱６１の幅Ｗ５は、支柱板５５の左右方向の長さの０．１７倍又は０．２倍以下である。
図２において、ガード７２の幅Ｗ６は、支柱板５５の上下方向の長さの０．１８倍又は０．２倍以下である。
図２において、主支柱５１と主支柱５２の幅Ｗ７は、支柱板５５の左右方向の長さの０．０９倍又は０．１倍以下である。
図２に示す上通気窓９８と下通気窓９９との合計面積に対する支柱枠組５０の正面面積の通気面積比は、５０％又は５０％以上である。
通気面積比は、４０％以上８０％以下であればよく、放熱効果を高めるためには、通気面積比は、６０％以上であることが望ましい。
【００３０】
図３において、ガード７２の幅Ｗ６は、支柱板５５の上下方向の長さの０．１８倍又は０．２倍以下である。
図３において、主支柱５１と主支柱５２の幅Ｗ７は、支柱板５５の前後方向の長さの０．１４倍又は０．１５倍以下である。
図３に示す上通気窓９８と下通気窓９９との合計面積に対する支柱枠組５０の側面面積の通気面積比は、５０％又は５０％以上である。
通気面積比は、４０％以上８０％以下であればよく、放熱効果を高めるためには、通気面積比は、６０％以上であることが望ましい。
【００３１】
＊＊＊放熱動作の説明＊＊＊
ヒートシンク８２で発生した暖気は天板４０に向かって上昇する。
ヒートシンク８２の全面上空には放熱空間９６があり、暖気は放熱空間９６に向かって上昇する。
図２、図３に示すとおり、放熱空間９６の周囲には上通気窓９８があり、上通気窓９８から外に流出する。
上通気窓９８は前後左右方向にあるため、３６０度のいずれの方向対しても暖気を逃がすことができる。また、いずれの方向からの風でも通過させることができる。
【００３２】
また、図９に示すとおり、フィン隙間８５があるので、フィン隙間８５にある暖気は前後方向に流れ出る。
図２に示す通り、フィン隙間８５は、下通気窓９９に露出しており、フィン隙間８５の暖気は、下通気窓９９から外部に排出される。
【００３３】
＊＊＊支柱枠組５０の製造方法の説明＊＊＊
１．主支柱の製造  配置空間９２のコーナに配置される４個の主支柱を製造する。
すなわち、主支柱５１、主支柱５２を製造する。
２．ガードの製造
長さの異なる複数種類のガードを製造する。
ここでは、長さの比が２：３のガード７１とガード７２とを製造する。
３．中間支柱６１の製造
中間支柱６１を製造する。
４．ガードの選択
ガード７１とガード７２の２種類のガードから配置空間９２のサイズすなわち光源ユニットのサイズに合致する長さのガードを選択する。ここでの選択肢は、以下のいずれかである。
（１）４個のガード７１
（２）２個のガード７１と２本のガード７２
（１）４個のガード７２
図１から図８に示す光源ユニット８０は、２×３の光源ユニット８０である。したがって、ここでは、光源ユニット８０のサイズに合致する長さを有する２個のガード７１と２個のガード７２を選択する。
すなわち、光源ユニット８０の短辺の長さと同じ長さのガード７１を２個選択し、光源ユニット８０の長辺の長さと同じ長さのガード７２を２個選択する。
５．組立
次に、主支柱と選択したガードとを締結部品で締結して光源ユニット８０のサイズに合致するサイズの配置空間を有する支柱枠組５０を組み立てる。
具体的には、以下の作業をする。
左側面の主支柱５１の支柱板５６と、主支柱５２の支柱板５６と、ガード７１とを組み合わせてネジ止めする。
右側面の主支柱５１の支柱板５６と、主支柱５２の支柱板５６と、ガード７１とを組み合わせてネジ止めする。
正面の主支柱５１の支柱板５５と、主支柱５２の支柱板５５と、ガード７２とを組み合わせてネジ止めする。
後面の主支柱５１の支柱板５５と、主支柱５２の支柱板５５と、ガード７２とを組み合わせてネジ止めする。
この時点で、中間支柱６１を除いた支柱枠組５０が組み立てられたことになる。
【００３４】
ここで、「組み合わせ」又は「組み立て」とは、複数の個別の部品を合わせてまとまったものに作り上げることをいう。
また、「組み合わせ」又は「組み立て」とは、２つ以上の部品を締結手段で一緒に組み付けることをいう。
締結手段の好適な具体例は、締結部品、溶接、かしめ、半田付け、又は、はめ込みである。
締結部品の好適な具体例は、ネジ、ボルトナット、リベット、クリップ、又は、接着剤である。
ここでの、「組み合わせ」又は「組み立て」とは、主支柱とガードとの２種類の部品を組み合わせた支柱枠組５０という集合部品を作り上げることをいう。
さらに、中間支柱も合わせれば、「組み合わせ」又は「組み立て」とは、主支柱とガードと中間支柱との３種類の部品を組み合わせた支柱枠組５０という集合部品を作り上げることをいう。
【００３５】
締結部品として、ネジ、又は、ボルトナットを用いる場合は、ガードと主支柱と中間支柱とを着脱可能に取り付けることができる。
ここで、「着脱可能」とは、複数の部品を人間の指の力で着脱できる場合をいう。又は、複数の部品を手工具又は電動工具で着脱できる場合をいう。
溶接、かしめ、半田付け、又は、接着は、「着脱可能」とは言わない。
【００３６】
＊＊＊照明器具１００の製造方法の説明＊＊＊
以下の手順で照明器具１００を製造する。
ヒートシンク８２にＬＥＤ基板８６を取り付ける。
光源ユニット８０にカバー９０を取り付け、光源ユニット８０とカバー９０を一体化した後、中間支柱６１が未装着の支柱枠組５０に光源ユニット８０とカバー９０を挿入する。
あるいは、光源ユニット８０とカバー９０を一体化せず、まず、カバー９０を中間支柱６１が未装着の支柱枠組５０に挿入し、次に、光源ユニット８０を支柱枠組５０に挿入してもよい。
【００３７】
上開口部９４は、光源ユニット８０及びカバー９０と同じサイズ又は光源ユニット８０及びカバー９０のサイズよりわずかに大きいサイズである。したがって、光源ユニット８０及びカバー９０を上開口部９４から下開口部９５に向けて真下に挿入することができる。すなわち、光源ユニット８０及びカバー９０を上から下に落とし込むだけでよい。
光源ユニット８０及びカバー９０のコーナが４個の主支柱の内面に当たりながらスライドして上から下に落とし込まれるので、光源ユニット８０及びカバー９０は、前後左右の位置決めがされた状態で支柱枠組５０に落とし込まれる。
【００３８】
下開口部９５には、主取付部５７が内側に突出しており、下開口部９５は、主取付部５７が存在する部分で、光源ユニット８０及びカバー９０のサイズより小さいサイズとなっている。すなわち、光源ユニット８０及びカバー９０が上から下に落とし込まれると、光源ユニット８０及びカバー９０のコーナが主取付部５７に当たり、光源ユニット８０及びカバー９０のコーナが主取付部５７の上に載った状態で、スライドが終了する。
【００３９】
次に、主取付部５７のネジ穴５９からネジをねじ込み、光源ユニット８０及びカバー９０を主取付部５７に固定する。
光源ユニット８０及びカバー９０を、図７に示す上向きネジ８個のうちの外側の４個のネジ１０１で支柱枠組５０に固定する。
主取付部５７から挿入されたネジは、ＬＥＤ基板８６とカバー９０とのネジ穴を通り、ヒートシンク８２の放熱板８３のネジ穴にねじ込まれる。
ＬＥＤ基板８６とカバー９０とは、主取付部５７と放熱板８３との間で挟持されることになる。
その結果、光源ユニット８０及びカバー９０は、支柱枠組５０の下部に固定される。
【００４０】
その後、以下の順で、照明器具１００が製造される。
天板４０に電源ユニット３０を取り付ける。
天板４０を、支柱枠組５０に取り付ける。天板４０は、４個の主支柱のネジ挿入部６０にネジ止めされる。
天板４０のスカート部４４を、図７に示す横向きの４個のネジ１０２で支柱枠組５０に固定する。照明器具１００の正面と後面はアーム２０が回転するので、スカート部４４によるネジ止めは、両側面だけであり、正面と後面のネジ止めはない。
光源ユニット８０及びカバー９０を支柱枠組５０に固定することで、４個の主支柱の下端の位置が固定され、さらに、天板４０を支柱枠組５０に固定した時点で、４個の主支柱の下端の位置が固定される。こうして、４個の主支柱は平行に固定され、支柱枠組５０は、形状が確定される。
特に、支柱枠組５０の主取付部５７が、照明器具１００の部品の中で最も厚みのある放熱板８３に固定されることにより、支柱枠組５０の形状は確実に維持される。
【００４１】
次に、中間支柱６１を、前後方向から支柱枠組５０の中心方向に向けてはめ込むように取り付ける。
天取付部６５の上面を板部４２の下面に当てて、天取付部６５のネジ穴から、図７に示す下向きの２個のネジ１０３をねじ込むことにより、中間支柱６１は天板４０にネジ止めされる。
また、中間取付部６３の上面をカバー９０の下面に当てて、中間取付部６３のネジ穴６８から、図７に示す上向きネジ８個のうちの中央４個のネジ１０４をねじ込ことにより、中間支柱６１は、光源ユニット８０及びカバー９０にネジ止めされる。中間取付部６３から挿入されたネジ１０４は、カバー９０とＬＥＤ基板８６とのネジ穴を通り、ヒートシンク８２の放熱板８３のネジ穴へねじ込まれる。
ＬＥＤ基板８６とカバー９０とは、中間取付部６３と放熱板８３との間で挟持されることになる。
中間支柱６１は、天板４０のスカート部４４が存在しない部分に取り付けられるので、光源ユニット８０及びカバー９０及び天板４０の前後方向の長さが同じになり、２つの中間支柱６１は、正確に平行に取り付けられることになる。
また、ガード７２に対して支柱板と中間支柱とが外側に取り付けられ、支柱板と中間支柱の板厚が同じなので、主支柱と中間支柱との外側表面は、同一面に存在する。
【００４２】
最後に、アーム２０を支柱枠組５０に取り付ける。
アーム２０は、支柱枠組５０の正面と後面に取り付ける。
具体的には、中間支柱６１の平板穴６６にアーム２０の突起軸２２を嵌めこむ。突起軸２２の好適な例はボルトナットである。
さらに、中間支柱６１の平板穴６７とガード７２のガード穴７５とアーム２０の弧状穴２４とにボルトナット２６あるいは貫通ネジを貫通させて、アーム２０を中間支柱６１とガード７２とに取り付ける。
アーム２０は、突起軸２２を中心にして弧状穴２４の範囲で回転可能となる。
以上のように、支柱枠組５０と照明器具１００の組立には、ネジ止めを用いるが、ネジ止めにおいて、ネジ止めする２個の部品の板厚が異なる場合、ネジを、まず板厚の薄い部品を通し、次に板厚の厚い部品にネジこむようにすることが好ましい。
部品の板厚が異なる場合の具体例は以下のとおりである。
Ａ．放熱板の板厚＞主支柱の板厚
Ｂ．放熱板の板厚＞中間支柱の板厚
Ｃ．主支柱の板厚＞天板の板厚
Ｄ．中間支柱の板厚＞天板の板厚
Ｅ．ガードの板厚＞主支柱の板厚
Ｆ．ガードの板厚＞中間支柱の板厚
【００４３】
＊＊＊実施の形態の効果の説明＊＊＊
本実施の形態によれば、主支柱、中間支柱、及び、ガードの各部品をばらばらに製造して組み合わせることにより、複数種類のサイズの支柱枠組を製造することができる。このため、各部品の材料の歩留りを抑止でき、筐体寸法違いでも部品共有化ができ、さらに、照明器具の組立が容易であり、加工費を抑制することができる。
【００４４】
本実施の形態によれば、ＬＥＤ８１の配置に合わせて放熱フィン８４を配置しているので、放熱効果が高まる。
また、放熱空間９６が、放熱フィン８４の上部から天板４０の下面まで存在するので、天板４０による熱のこもりや温度上昇を無くすことができる。
また、放熱空間９６を４０ｍｍ以上とすることで、天板４０がない状態とほぼ同等の状態を提供することができる。
また、上通気窓９８が放熱空間９６の周囲に存在しているので、放熱空間９６の熱気を外部に排出することができる。
【００４５】
また、フィン隙間８５があるので、左右方向に隣り合う放熱フィン８４の間にある熱気を外部に排出することができる。フィン隙間８５がない場合は、放熱フィン８４が左右方向に繋がった１枚の放熱フィンになり、空気流路が塞がった状態となるため放熱効率が悪化する。
フィン隙間８５があるので、放熱フィン８４の面と直交する方向に熱気を排出することができ、前後左右の四面から空気の流路を確保できるため、温度上昇を減少させることができる。
また、アーム２０が取り付けられた長辺側の側面にフィン隙間８５があるので、短辺側の側面にフィン隙間８５がある場合に比べて、フィン隙間８５の数を多くすることができる。
結果として、ＬＥＤの放熱を自然空冷で行うことができる。
【００４６】
本実施の形態によれば、主取付部５７があるので、支柱枠組５０に対して光源ユニット８０及びカバー９０を落とし込むことができ、製造が容易になる。
また、４個の主支柱がコーナにあり、４個の主支柱が光源ユニット８０及びカバー９０を囲い込むので、光源ユニット８０及びカバー９０を落とし込むだけで、光源ユニット８０及びカバー９０の位置決めができる。
また、主取付部５７があるので、部品の落下を防止することができる。
また、主取付部５７を介してカバー９０をネジ止めしているので、ネジからカバー９０へのねじ締め応力を、主取付部５７の面で受けることができる。その結果、ねじ締め応力を主取付部５７の面全体に分散でき、プラスチック製のカバー９０の割れを防ぐことができる。
主取付部５７を介することなくカバー９０をネジ止めした場合、カバー９０のネジの頭部が当たった小さい面積の部分にねじ締め応力が集中するので、カバー９０の割れが生じやすくなる。
同様に、中間取付部６３を介してカバー９０をネジ止めしているので、プラスチック製のカバー９０の割れを防ぐことができる。
また、中間支柱６１がカバー９０の長辺の中央に固定されているので、プラスチック製のカバー９０の変形及びゆがみを防ぐことができる。
本実施の形態によれば、支柱枠組５０の上部を金属製の天板４０で固定し、支柱枠組５０の下部を金属製の放熱板８３で固定しているので、主支柱とガードという骨枠だけの支柱枠組５０を用いたとしても、堅固な照明器具１００を提供することができる。
【００４７】
＊＊＊他の構成＊＊＊
【００４８】
支柱枠組５０を組み立てる際に、中間支柱６１を支柱枠組５０に先に取り付けてもよい。具体的には、アーム２０の邪魔にならないように、図示していない機構により、中間支柱６１をガード７２にネジ止めすればよい。
支柱枠組５０を組み立てる際に中間支柱６１をガード７２にネジ止めした場合は、上開口部９４には天取付部６５が内側に前後２か所で突出することになる。
天取付部６５が光源ユニット８０及びカバー９０の挿入を邪魔する場合には、光源ユニット８０及びカバー９０の外周部が上開口部９４の天取付部６５に当たらないように、光源ユニット８０及びカバー９０を斜めにして上開口部９４に挿入すればよい。光源ユニット８０及びカバー９０が上開口部９４の天取付部６５を通過した後、光源ユニット８０及びカバー９０を水平にして光源ユニット８０及びカバー９０を上から下に落とし込むことができる。
【００４９】
中間支柱６１には、天取付部６５がなくてもよい。天取付部６５がない場合は、中間支柱６１を支柱枠組５０に先に取り付けても、光源ユニット８０及びカバー９０を水平にしたまま支柱枠組５０に落とし込むことができる。
【００５０】
中間支柱６１には、中間取付部６３がなくてもよい。中間取付部６３がない場合は、光源ユニット８０及びカバー９０は、主支柱のみに固定される。
【００５１】
ガードは、上下方向に１個だけでなく、複数のガードを設けてもよい。具体的には、支柱板５５と支柱板５６には、ネジ穴５８が上下方向に３個あるので、ガードを上下方向に最大３個まで設けることができ、最大２個の追加のガードを設けることができる。追加のガードは、板状である必要はなく、通気性を保つ好適な例として、棒状ガード、網ガード、又は、メッシュガードがある。
【００５２】
ガードは、上下方向の中央に設けなくてもよい。支柱板５５と支柱板５６には、ネジ穴５８が上下方向に３個あるので、上中下のいずれかの位置にガードが取り付けられればよい。
【００５３】
図３に示すガード７１は、なくてもよい。ガード７１がなければ、通気性が向上する。
【００５４】
中間支柱は、１個だけでなく、複数設けてもよい。中間支柱を複数設ければ、支柱枠組５０の強度が増加するとともに、ガードとしても機能する。
【００５５】
照明器具１００の天井への取付において、アーム２０を用いない場合は、アーム２０と中間支柱６１はなくてもよい。中間支柱６１がない場合、支柱枠組５０を主支柱とガードのみで製造することができる。
締結部品として、ネジの代わりに、ボルトナットを用いてもよい。又は、リベットを用いてもよい。
【００５６】
天板４０から通気をするために、天板４０を、網天板、又は、メッシュ天板としてもよい。
あるいは、放熱効果を高めるために、天板４０を使用せず、天板４０の代わりにガードを用いてもよい。
具体的には、図５の上開口部９４の面全体を覆う天板４０の代わりに、図２のガード７１と同様なガードを上開口部９４に２個前後方向に平行に取付けて、これらの２個のガード７１に対して電源ユニット３０を固定すればよい。
あるいは、図２のガード７２と同様なガードを上開口部９４に２個左右方向に平行に取付けて、これらの２個のガード７２に対して電源ユニット３０を固定すればよい。
あるいは、図２のガード７１とガード７２と同様なガードを上開口部９４に２個ずつ井桁状に取付けて、これらのガードの交差部分に対して電源ユニット３０を固定すればよい。
【００５７】
主支柱の支柱板に通気スリットを設けて、支柱板の通気スリットから放熱させてもよい。
ガードに通気スリットを設けて、ガードの通気スリットから放熱させてもよい。
また本実施の形態では、反射鏡８７がカバー９０に一体成形されている場合について説明したが、反射鏡８７はカバー９０と別体であってもよいし、反射鏡８７をレンズなどの他の光学部品に置き換えてもよい。
【００５８】
実施の形態２．
この実施の形態では、前述した各実施の形態と異なる点について説明する。＊＊＊構成の説明＊＊＊
この実施の形態では、配置空間９２が四角柱であり、ｎ種類の長さのガードを製造し、配置空間が以下のいずれかのサイズである支柱枠組を製造する場合を説明する。
１．ｎ種類のガードから２種類のガードを選択したサイズ。
２．ｎ種類のガードから１種類のガードを選択したサイズ。
好適な例として、長さの比が２：３：４の３種類の長さのガードにより、複数サイズの支柱枠組を製造する場合を説明する。
【００５９】
図１０、図１１、及び、図１２は、支柱枠組５０の平面形状が正四角柱の照明器具１００を示している。
光源ユニット８０は、ＬＥＤ８１は、２×２で配列された４個のＬＥＤ８１を有している。
照明器具１００は、同じ長さのガード７１を使用している。ガード７１にはガード穴７５があるため、ガード７１に対して、中間支柱６１とアーム２０とを取り付けることができる。
【００６０】
図１３、図１４は、支柱枠組５０が２個の柱状の配置空間９２を隣接させて合同空間９３を形成した照明器具１００を示している。
ここで、「合同空間」とは、複数の配置空間を合わせた空間をいう。配置空間は、１個の光源ユニット８０を配置する空間であるが、合同空間は、複数の光源ユニット８０を配置する空間である。
合同空間は、支柱枠組５０の全体内部空間であり、一方の配置空間９２の一つの側面と他方の配置空間９２の一つの側面とを同一面に配置したものである。この同一面を隣接境界という。また、一方の配置空間９２の一つの側面と他方の配置空間９２の一つの側面を隣接側面という。
照明器具１００は、２個の光源ユニット８０を有しており、各光源ユニット８０は、２×３の光源ユニット８０である。２個の配置空間９２のコーナには、４個の主支柱が配置されている。２個の配置空間９２の全てのコーナに主支柱があり、合同空間９３には８個の主支柱がある。
【００６１】
照明器具１００は、上開口部９４と同じサイズの天板４０を２個使用している。
電源ユニット３０は、１個の筺体で構成されている。
【００６２】
照明器具１００は、長さの異なるガード７２とガード７３とを使用している。
ガード７２とガード７３の長さの比は、３：４である。
ガード７２は、中央にガード穴７５を有しているが、ガード７３には、ガード穴７５がない。
２個の配置空間９２が隣り合った隣接側面にはガード７２はない。
したがって、図１３、図１４に示す支柱枠組５０は、実施の形態１に示した支柱枠組５０をガード７１の代わりにガード７３を用いて２個連結し、かつ、隣接側面のガード７２を省略したものである。
図１４の平面図と断面図に示すとおり、２個の配置空間９２が隣り合った隣接側面に、２個の中間支柱６１が取り付けられている。
隣接境界にある２個の中間支柱６１の中間取付部６３は、光源ユニット８０及びカバー９０にネジで固定されている。
隣接境界にある２個の中間支柱６１の天取付部６５は、天板４０の板部４２にネジで固定されている。
中間支柱６１は、外側への突出がないので隣接境界で背中合わせに隣接させることができる。また、隣接側面には、ガード７２がないのでガード７２を止めるネジもないし、スカート部４４のネジもないので、隙間なく隣接させることができる。
また、隣接側面にある２個の中間支柱６１の軸穴２８をボルトナット２６で固定すれば、２個の配置空間の連結が強化される。
２個の支柱枠組５０を締結するために、主支柱５１の支柱板５５と主支柱５２の支柱板５５とをネジ穴５８を介して締結部品で締結している。
合同空間９３の周囲にのみガードがあり、合同空間９３の周囲には、２個のガード７２と２個のガード７３とがある。
ガード７２もガード７３も、合同空間の同一側面に配置された複数の主支柱を連結している。
ガード７３は、両端にネジ穴を有し、中央にガード穴７５はなく、２個のネジ穴を有している。ガード７３は、４個の主支柱を連結しているので、主支柱の支柱板の外側に配置される。
ガード７２は、合同空間の短辺にある側面に配置された２個の主支柱を連結している。
中間支柱６１とアーム２０とは、ガード７２に取り付けられている。
ガード７３は、合同空間の長辺にある側面に配置された４個の主支柱を連結している。
ガード７２の両端は、主支柱の支柱板の内側に締結部品で固定されている。
ガード７３の両端は、主支柱の支柱板の外側に締結部品で固定されている。
ガード７３の中央は、ガード７３の中央にあるネジ穴により、隣り合って接触している２個の主支柱の支柱板の外側に締結部品で固定されている。
【００６３】
図１５、図１６は、支柱枠組５０が２個の柱状の配置空間９２を隣接させて合同空間９３を形成した照明器具１００を示している。
照明器具１００は、２個の光源ユニット８０を有しており、各光源ユニット８０は、２×２の光源ユニット８０である。２個の配置空間９２の全てのコーナに主支柱があるのではなく、２個の配置空間９２の隣り合う隣接側面にあるコーナには主支柱がない。合同空間９３の４か所のコーナのみに主支柱が配置されており、合同空間９３には４個の主支柱がある。
【００６４】
照明器具１００は、上開口部９４と同じサイズの天板４０を２個使用してもよいし、合同空間９３と同じサイズの天板４０を１個使用してもよい。
電源ユニット３０は、１個の筺体で構成されている。
【００６５】
照明器具１００は、長さの異なるガード７１とガード７４とを使用している。
ガード７１とガード７４の長さの比は、２：４である。
ガード７１とガード７４は、中央にガード穴７５を有している。
２個の配置空間９２が隣り合った隣接側面には主支柱はないので、隣接側面にはガード７１はない。
合同空間９３の周囲には、２個のガード７１と２個のガード７４とがある。
ガード７１もガード７４も、合同空間の同一側面に配置された複数の主支柱を連結している。
ガード７４は、両端にネジ穴を有し、中央に、ガード穴７５を有している。
ガード７１は、合同空間の短辺にある側面に配置された２個の主支柱を連結している。
ガード７４は、合同空間の長辺にある側面に配置された２個の主支柱を連結している。
ガード７１の両端は、主支柱の支柱板の内側に締結部品で固定されている。
ガード７４の両端は、主支柱の支柱板の内側に締結部品で固定されている。
ガード７４の中央は、ガード７３の中央にあるガード穴７５により、中間支柱６１とアーム２０を取り付けている。
中間支柱６１は、カバー９０の長辺の中央に固定されているので、プラスチック製のカバー９０の変形及びゆがみを防ぐことができる。
【００６６】
図４に示すとおり、Ｗ９＝Ｗ１０なので、図１５、図１６において、中間支柱６１の中間取付部６３の中間取付部６３のネジ穴６８の位置は、省略された主支柱の主取付部５７のネジ穴５９と同じ位置にある。
したがって、図１５、図１６において、中間支柱６１の中間取付部６３のネジ穴６８は、光源ユニット８０及びカバー９０のネジ穴の位置と一致しており、光源ユニット８０及びカバー９０は、中間支柱６１に、ネジで固定される。
このように、図１５、図１６に示す支柱枠組５０は、図１０、図１１、図１２に示した支柱枠組５０から２個の主支柱と１個のガード７１を省略し、２個のガード７１の代わりにガード７４を用いて２個連結したものである。
【００６７】
配置空間が四角柱であり、ガードの長さの比が２：３：４の３種類のガードがある場合、配置空間９２の水平断面の縦横比が以下のいずれかの縦横比となる支柱枠組を製造することができる。
（１）２：２（図１０）
（２）２：３（図１）
（３）２：４（図１５）
（４）３：３
（５）３：４（図１３）
（６）４：４
【００６８】
また、ガードの長さの比が２：３：４：６の４種類のガードがある場合、さらに以下の縦横比の支柱枠組を製造することができる。
（７）２：６
（８）３：６
（９）４：６
（１０）６：６
【００６９】
理論的には、ｎ種類のガードから２種類のガードを選択する組み合わせ（ｃｏｍｂｉｎａｔｉｏｎ）の総数と、ｎ種類のガードから１種類のガードを選択する組み合わせ（ｃｏｍｂｉｎａｔｉｏｎ）の総数とを加算した数だけ、異なるサイズの支柱枠組５０を組み立てることができる。
【００７０】
また、これらのサイズの支柱枠組５０に対しては、ＬＥＤが２×２、２×３、３×３、４×４で配列された４種類のサイズの光源ユニット８０を以下のように配置することができる。
（１）２：２に対して、１個の２×２（図１０）
（２）２：３に対して、１個の２×３（図１）
（３）２：４に対して、２個の２×２（図１５）
（４）３：３に対して、１個の３×３
（５）３：４に対して、２個の２×３（図１３）
（６）４：４に対して、４個の２×２、又は、１個の４×４
（７）２：６に対して、３個の２×２、又は、２個の２×３
（８）３：６に対して、３個の２×３、
（９）４：６に対して、６個の２×２、又は、４個の２×３
（１０）６：６に対して、９個の２×２、４個の３×３、５個の２×２と１個の４×４、又は、３個の２×２と１個の４×４と１個の２×３
【００７１】
＊＊＊実施の形態の効果＊＊＊
図１３、図１４のように、光源ユニット８０を連結して使用する場合、合わさる面から不要なガードを取り外すことにより、コストの抑制及び、器具軽量化を図ることができる。
図１３、図１４のように、光源ユニット８０を連結して使用する場合でも、配置空間９２の周囲には４個の主支柱があるので、前後左右の位置決めが確実にでき、さらに、主取付部５７により上下方向の位置決めが容易となり組立作業性が向上する。
【００７２】
図１５、図１６のように、光源ユニット８０を連結して使用する場合、合わさる面から不要な主支柱を取り外すことにより、コストの抑制及び、器具軽量化を図ることができる。
図１５、図１６のように、光源ユニット８０を連結して使用する場合、中央に主支柱がなく左右方向に余裕があるので、光源ユニット８０の支柱枠組５０への落とし込みが容易となり組立作業性が向上する。
また、中央に主支柱がなくても、中間支柱６１が天板４０と光源ユニット８０及びカバー９０の長辺を固定することができるので、強度が保てる。
【００７３】
＊＊＊他の構成＊＊＊
図１３において、２個の配置空間９２が隣り合った隣接側面にガード７２を設けてもよい。
具体的には、ガード７２を隣接側面にある主支柱５１の支柱板５５と主支柱５２の支柱板５５との間にはさみ、主支柱５１の支柱板５５とガード７２と主支柱５２の支柱板５５とをネジ穴５８を介してボルトナットで締結する。
あるいは、図８に示したとおり、１個のガード７２を片方の配置空間９２の主支柱の内側に配置して、ガード７２と主支柱５１の支柱板５５と主支柱５２の支柱板５５とをネジ穴５８を介して締結部品で締結する。
又は、２個のガード７２を両方の配置空間９２の主支柱の内側に配置して、ガード７２と主支柱５１の支柱板５５と主支柱５２の支柱板５５とガード７２とをネジ穴５８を介して締結部品で締結する。
【００７４】
ガード７３とガード７４とは構造が異なるが、ガード７３とガード７４との中央に、ガード穴７５と２個のネジ穴を形成して、ガード７３とガード７４とを同一部品にしてもよい。
実施の形態１に示したガード７１がある支柱枠組５０の構成をそのまま用いて、さらに、ガード７１の外側にガード７３を付加して、２個の支柱枠組５０を連結してもよい。
同様に、図１０、図１１、図１２に示したガード７１がある支柱枠組５０の構成をそのまま用いて、さらに、ガード７１の外側にガード７３を付加して、２個の支柱枠組５０を連結してもよい。
【００７５】
合同空間を形成する２個の配置空間の形状は異なっていてもよい。
具体的には、正四角柱の配置空間と長四角柱の配置空間、三角柱の配置空間と四角柱の配置空間との組み合わせが考えられる。
合同空間を形成する配置空間は２個ではなく３個以上でもよい。
合同空間の平面形状は、四角に限らない。ガードを直角に折り曲げてＬ字状のガードにすれば、十字型、Ｔ字型、Ｌ字型、Ｅ字型の合同空間を形成できる。
【００７６】
実施の形態３．
この実施の形態では、前述した各実施の形態と異なる点について説明する。
＊＊＊構成の説明＊＊＊
図１７は、主支柱とガードを組み合わせた支柱枠組５０の簡略平面図である。
（ａ）のように、支柱枠組５０の平面形状が六角形でもよい。
（ｂ）のように、支柱枠組５０の平面形状が八角形でもよい。
（ｃ）のように、支柱枠組５０の平面形状が長尺の六角形でもよい。
（ｄ）のように、支柱枠組５０の平面形状が台形形でもよい。（ｅ）のように、支柱枠組５０の平面形状が円形でもよい。
（ｆ）のように、支柱枠組５０の平面形状が平行四辺形でもよい。
このように、支柱枠組５０の外形は、多角柱形状又は円柱形状でもよい。
図１７のように、主支柱の２枚の支柱板の交差角度を９０度以外にすることにより、四角柱以外の柱状の配置空間を提供することができる。
２枚の支柱板の交差角度が９０度超の主支柱のみを使用すれば、五角柱以上の支柱枠組５０を提供できる。
また、（ｄ）又は（ｆ）のように、２枚の支柱板の交差角度が９０度未満である主支柱と交差角度が９０度超である主支柱とを使用すれば、複雑な形状の支柱枠組５０を提供できる。
また、図示しないが、支柱枠組５０の外形は、角錐台形状又は円錐台形状でもよい。
【００７７】
図１８は、主支柱の他の例を示す斜視図である。
図１８の主支柱５３は、支柱板５５と支柱板５６とが、同じ構造を有している。
すなわち、支柱板５５と支柱板５６とは、以下を有している。
Ａ．ネジ穴５９のある主取付部５７
Ｂ．３個のネジ穴３８
Ｃ．ネジ挿入部６０
したがって、四角柱の複数の位置に同一形状の主支柱５３を配置することがきる。
主支柱５３は、四角柱のすべてのコーナに用いることができ、部品の共通化が図れる。
【００７８】
実施の形態４．
この実施の形態では、前述した各実施の形態と異なる点について説明する。
【００７９】
＊＊＊構成の説明＊＊＊
図１９、図２０は、支柱枠組５０にＨ形の支柱部１１０を用いた照明器具１００の斜視図であり、図２１、図２２は、照明器具１００の分解斜視図である。
照明器具１００は、２×２の光源ユニット８０と光源ユニット８０を覆う天板４０とを取り付ける支柱枠組５０を有している。
【００８０】
図１９から図２２の照明器具１００では、支柱枠組５０は、以下の部品からなる。
１．２個のＨ形の支柱部１１０
２．２個の中間支柱６１
【００８１】
＊＊＊支柱部１１０と中間支柱６１の構成＊＊＊
支柱部１１０は、複数の主支柱と、複数の主支柱を連結したガードとが１部品となっているものをいう。
図１９から図２２では、支柱部１１０は、左側の主支柱５１と、右側の主支柱５２と、これら２個の主支柱を連結したガード７１とが１部品となっているものである。支柱部１１０は、両サイドが９０度折り曲げられたＨ形状をしている。
支柱部１１０の左側の主支柱５１は、ガード７１と同一平面に支柱板５６と、支柱板５６と直交している支柱板５５とを有している。
支柱部１１０の右側の主支柱５２は、ガード７１と同一平面に支柱板５６と、支柱板５６と直交している支柱板５５とを有している。
図２１に示すとおり、各支柱板５６の下端には、配置空間９２の内側に向かって折り曲げられた主取付部５７がある。主取付部５７には、光源ユニット８０とカバー１９０とを固定するネジ穴５９がある。
また、支柱板５６の上端には、天板４０を固定するネジがねじ込まれるネジ挿入部６０がある。
光源ユニット８０は、配置空間９２に配置されている。
「配置空間」とは、一つの光源ユニット８０を配置する空間をいうが、図１９及び図２０では、配置空間９２は、２個のＨ形の支柱部１１０で囲まれた四角柱の空間をいう。
各支柱部１１０の各主支柱の上端に天板４０が固定され、各支柱部１１０の各主支柱の下端に光源ユニット８０とカバー１９０とが固定される。
【００８２】
対向して配置されたＨ形の支柱部１１０の主支柱５１の支柱板５５と主支柱５４の支柱板５５との間に、主支柱と平行な中間支柱６１がある。
中間支柱６１は、上端に天板４０を固定し、下端に光源ユニット８０を固定している。
【００８３】
＊＊＊光源ユニット８０の構成＊＊＊
図２１、図２２に示すように、光源ユニット８０は、取付板１５０を有している。
取付板１５０は、取付面１５１に４個のソケット１６０をネジ止めしている。ソケット１６０は、円板型をしており、中央にＬＥＤ８１を搭載している。取付面１５１は正方形であり、１辺の長さはＨ形の支柱部１１０の左右幅と同じである。
取付面１５１の周囲には、上方向に折り曲げられた周板１５２が形成されている。周板１５２は、取付面１５１の全周囲に形成されている。
【００８４】
＊＊＊反射鏡１８０の構成＊＊＊
図２１、図２２に示すように、反射鏡１８０は、光源ユニット８０とカバー１９０との間に配置されている。
反射鏡１８０は、２個の円錐台形状の鏡部１８１が１部品として製造されたユニットを２個並べたものである。図２１、図２２では、２個のユニットを並べて２×２の鏡部１８１を配列している。鏡部１８１は、ＬＥＤからの光を取り入れる開口部１８２と光の放射口１８３とを有する。放射口１８３の周囲には、平板状の矩形の鍔部１８４が形成されている。鏡部１８１の内周面は、鏡面仕上げされた面、又は、反射効率が高い面となっている。
反射鏡１８０は、ソケット１６０とカバー１９０との間に挟持されている。
図２３に示すように、反射鏡１８０は、鍔部１８４のコーナすなわち各ユニットのコーナに凸受部１８５を有する。凸受部１８５は、円筒形状の空間を形成した１対の半円筒部１８７から形成されている。
【００８５】
＊＊＊カバー１９０の構成＊＊＊
カバー１９０は、上が開放された重箱形状の１部品であり、光を放射する放射板１９１と、放射板１９１の周囲に側板１９２を有する。
放射板１９１は、透明であるか又は透光性を有しているが、側板１９２は不透明にして内部構造を見せないようにする。
【００８６】
図２３に示すように、カバー１９０は、内部に突出した円柱形状の凸部１９３を有する。凸部１９３は、放射板１９１の周囲部分に設けられており、放射板１９１の内面から上に突き出た円柱である。
凸部１９３と凸受部１８５とは、対応した位置に設けられ、凸部１９３が１対の半円筒部１８７の間に、嵌め込み長さＦだけ圧入されることにより、反射鏡１８０がカバー１９０に固定される。反射鏡１８０は、ネジや接着剤を用いることなく、凸部１９３と凸受部１８５との嵌め込みのみにより、カバー１９０に固定される。凸部１９３と凸受部１８５との嵌め込みにより、反射鏡１８０はカバー１９０に対して上下前後左右に移動することなく位置決めされる。
また、図２１に示すように、カバー１９０は、放射板１９１の表面のコーナに隆起部１９４を有している。隆起部１９４は、半球状、又は、ドーム状の凸部であり、放射板１９１を下にして照明器具１００を床に置いた場合に、放射板１９１と床面との間に隙間を形成するものであり、放射板１９１の表面が傷つくのを防止する。
【００８７】
図２４は、図２２のＳＳ断面図である。
図２４の（ａ）は、光源ユニット８０と反射鏡１８０とカバー１９０の組立図である。
図２４の（ｂ）は、光源ユニット８０を分離させた図である。
図２４の（ｃ）は、光源ユニット８０と反射鏡１８０とカバー１９０の分解図である。
【００８８】
図２４のＡ、Ｂ、Ｃ、Ｌは以下の関係を有している。
Ａ＋Ｌ＝Ｃ
Ｂ＋Ｌ＝Ｃ、又は、Ｂ＋Ｌ≒Ｃ
Ａ：放射板１９１の内面からソケット１６０の下面までの間隔
Ｂ：反射鏡１８０の高さ
Ｃ：カバー１９０の深さ
Ｌ：ソケット１６０の厚さ
【００８９】
したがって、図２４に示す反射鏡１８０の高さＢは、放射板１９１の内面からソケット１６０の下面までの間隔Ａと同じ、或は、略同じである。すなわち、高さＢ＝間隔Ａ、或は、高さＢ≒間隔Ａである。
【００９０】
反射鏡１８０の高さＢは間隔Ａ以下であればよいが、高さＢ＜間隔Ａの場合は、高さＢ＜間隔Ａとの差、すなわち、開口部１８２とソケット１６０との隙間は、凸部１９３と凸受部１８５との嵌め込み長さＦより小さくする。凸部１９３と凸受部１８５との嵌め込みが緩んで、反射鏡１８０がカバー１９０から離れた場合でも、「間隔Ａ−高さＢ＜嵌め込み長さＦ」としておけば、凸部１９３と凸受部１８５との嵌め込みが外れることがない。
【００９１】
＊＊＊Ｈ形の支柱部１１０の製法＊＊＊
図２５に、Ｈ形の支柱部１１０の展開図を示す。
まず、支柱部照明器具１００の製造は、平板の板金を図２５の展開図のようなＨ形に打ち抜く。
次に、ネジ穴５８、ネジ穴５９、ネジ挿入部６０などの穴開け加工をする。
次に、図２５の展開図の両サイドの支柱板５５となる部分を破線で９０度折り曲げて、支柱板５５を作成する。こうして、直交している２枚の支柱板ができる。
また、一方の支柱板５６の下端を破線で９０度折り曲げて主取付部５７を形成する。
また、ガード７１の上端辺と下端辺を破線で９０度折り曲げて補強辺１１３を形成する。
これらの折り曲げ加工は、すべて、同じ方向なので、折り曲げ加工を同時にすることが好ましい。
また、支柱板５５のネジ穴５８のサイドと上とに切込み加工を施し、半円形の弦の部分が一部が開いた形状の抜き加工をして、ストッパ１１１とストッパ１１２とを形成する。ストッパ１１１とストッパ１１２とは、後述するガード７２の位置決めに用いる。この切込み加工も、折り曲げ加工と同じ方向への加工なので、折り曲げ加工と同時にすることが好ましい。
こうして、２個の主支柱とこれら２個の主支柱を連結したガード７１とからなる支柱部１１０が製造される。このように、支柱部１１０は、板金をＨ形に打ち抜き加工し、さらに、折り曲げ加工して、１部品として製造できる。
なお、前述した穴開け加工は、折り曲げ加工と切込み加工の後でもよいし、途中でもよい
【００９２】
＊＊＊反射鏡１８０の製法＊＊＊
反射鏡１８０は、上金型と下金型との２個の金型に対して、溶融した樹脂又は金属を流し込むことで製造する。
鏡部１８１の開口部１８２から放射口１８３までの高さ、すなわち、反射鏡１８０の高さＢが、放射板１９１の内面からソケット１６０の下面までの間隔Ａと等しくなるように金型を製造しておく。
金型により、２個の鏡部１８１と鍔部１８４と凸受部１８５が１部品すなわち１ユニットとして鋳造できる。２個の鏡部を１ユニットとして製造しておき、２ユニット又は３ユニットを用いて、２×２又は２×３の反射鏡１８０を形成する。
【００９３】
＊＊＊カバー１９０の製法＊＊＊
カバー１９０は、上金型と下金型との２個の金型に対して、溶融した透明樹脂又は半透明樹脂を流し込むことで製造する。
放射板１９１は、透明又は半透明のままにするが、側板１９２が透明であるか又は透光性を有していると内部構造が見えてしまうので、側板１９２は、不透明にする。具体的には、側板１９２にブラスト加工を施せばよい。あるいは、上金型と下金型との側板形成部分に細かい凹凸模様を形成しておき、側板１９２の表面を荒くして、側板１９２を不透明にすればよい。
【００９４】
＊＊＊照明器具１００の製造方法の説明＊＊＊
以下の手順で照明器具１００を組み立て製造する。
（１）各部品を製造する工程
Ｈ形の支柱部１１０、中間支柱６１、反射鏡１８０、カバー１９０を製造する。
【００９５】
（２）カバー１９０に反射鏡１８０を固定する工程
カバー１９０に、反射鏡１８０を固定する。具体的には、カバー１９０の内部に突出した凸部１９３に対して、反射鏡１８０に形成された凸受部１８５を圧入して嵌め込む。
【００９６】
（３）支柱部の下端に光源ユニットとカバーを固定する工程
次に、支柱部１１０を配置空間９２の対抗する面に配置し、支柱部１１０に光源ユニット８０とカバー１９０を固定する。具体的には、取付板１５０の周板１５２を主支柱５１と主支柱５２の外側に配置し、さらに、光源ユニット８０の外側にカバー１９０を配置して、支柱板５５の主取付部５７のネジ穴５９に取付板１５０とカバー１９０とをネジ止めする。
カバー１９０は光源ユニット８０に固定され、反射鏡１８０は光源ユニット８０とカバー１９０との間に挟持される。その際、開口部１８２の中心にＬＥＤ８１が配置されることになる。
【００９７】
（４）中間支柱を固定する工程
次に、支柱枠組５０を形成する中間支柱６１を支柱部１１０の間に配置する。すなわち、中間支柱６１を配置空間９２の支柱部１１０が存在しない面に配置し、中間支柱６１の下端に光源ユニット８０とカバー１９０とを固定する。中間支柱６１の中間取付部６３は、カバー１９０の下面に固定され、光源ユニット８０とカバー１９０とが落下するのを防止する。
中間支柱６１は、ガード７１が配置されていない面に配置するのが好ましく、中間支柱６１は、配置空間９２の内部に異物侵入を防止するガード機能を有する。
【００９８】
（５）天板を固定する工程
次に、支柱部１１０の上端に、天板４０を固定する。具体的には、支柱板５６の上端にあるネジ挿入部６０に天板４０のスカート部４４をネジ止めする。さらに、中間支柱６１の上端にある天取付部６５に天板４０を固定する。
その他の製法は、前述した実施の形態で説明した製法と同じである。
【００９９】
＊＊＊実施の形態の効果＊＊＊
この実施の形態によれば、支柱部１１０が一体成形されているので、支柱枠組５０の部品数が少なくなり、照明器具１００の組立が容易になる。
また、対向して配置された２個の支柱部１１０の間にガードがないので、さらに、支柱枠組５０の部品数が少なくなり、照明器具１００の組立が容易になる。
また、支柱部１１０が予めＨ形をしているので、２個の主支柱と１本のガードとの角度を９０度に維持することができ、照明器具１００の形が崩れることがない。
また、中間支柱６１が、２個の支柱部１１０の間にあるので、２個の支柱部１１０の間にガードがなくても強度が維持できる。
【０１００】
また、カバー１９０の凸部１９３と反射鏡１８０の凸受部１８５との嵌め込みが緩んで隙間が発生した場合でも、反射鏡１８０は、ソケット１６０とカバー１９０とに挟まれているので、凸部１９３と凸受部１８５との嵌め込みが外れることがなく、反射鏡１８０は、ソケット１６０とカバー１９０との間に挟持され続ける。
また、緩みは上下方向だけの緩みであるから、反射鏡１８０は前後左右には位置ずれすることがない。その結果、ＬＥＤ８１は開口部１８２の中心に位置し続けることができ、光学的特性は変化しない。
【０１０１】
＊＊＊他の構成＊＊＊
以下、この実施の形態の他の構成について説明する。
【０１０２】
＊＊＊反射鏡１８０の他の構成＊＊＊
図２６に示すように、反射鏡１８０の鍔部１８４の周囲に立壁１８６を設けてもよい。
図２６の反射鏡１８０は、２×２の４個の鏡部１８１を有する一つのユニットで形成されている。４個の鏡部１８１は、正方形の鍔部１８４の中に配列されている。立壁１８６は、正方形の鍔部１８４の縁から立ち上がり、４個の鏡部１８１の全周囲を覆っている。
【０１０３】
図２６のＡ、Ｂ、Ｃ、Ｄ、Ｌは以下の関係を有している。
Ａ＋Ｌ＝Ｃ＝Ｄ
Ｂ＋Ｌ＝Ｃ＝Ｄ、又は、Ｂ＋Ｌ≒Ｃ＝Ｄ
Ａ：放射板１９１の内面からソケット１６０の下面までの間隔
Ｂ：反射鏡１８０の高さ
Ｃ：カバー１９０の深さ
Ｄ：立壁１８６の高さ
Ｌ：ソケット１６０の厚さ
【０１０４】
すなわち、立壁１８６の高さＤは、側板１９２の放射板１９１の内面からの高さＣと同じである。
【０１０５】
カバー１９０は、全体が、透明であるか又は透光性を有し、立壁１８６を含め反射鏡１８０は、白色あるいは不透明である。
立壁１８６が、カバー１９０の内側面の高さＣと同じ高さＤなので、立壁１８６の上端と取付板１５１の下面とが隙間なく接触し、カバー１９０の側板１９２が透明であるか又は透光性を有していても、内部構造が見えることがない。
立壁１８６がある反射鏡１８０であっても、上金型と下金型との２個の金型に対して、溶融した白色の樹脂又は金属を流し込むことで反射鏡１８０を製造することができる。
立壁１８６の高さＤが、側板１９２の放射板１９１の内面からの高さＣと等しくなるように金型を製造しておく。金型による鋳造により、４個の鏡部１８１と鍔部１８４と凸受部１８５と立壁１８６とを１部品として製造する。
【０１０６】
立壁１８６の高さＤは側板１９２の放射板１９１の内面からの高さＣ以下でもよいが、高さＤ＜高さＣとの差、すなわち、立壁１８６と取付板１５１との隙間は、凸部１９３と凸受部１８５との嵌め込み長さＦより小さくして、凸部１９３と凸受部１８５との嵌め込みが外れることがないようにするのが好ましい。
【０１０７】
＊＊＊Ｈ形の支柱部１１０の他の構成＊＊＊
図２７は、Ｈ形の支柱部１１０の他の例である。
図２７に示すように、主支柱５１とガード７１の連結部分と主支柱５２とガード７１の連結部分とに、エンボス加工を施してエンボス部１３０を形成してもよい。エンボス加工とは、押し型で裏面を強圧して裏面を表面側に押し上げる加工であり、エンボス加工により裏面が凹み表面が浮いた凹凸が形成される。
図２７で、エンボス部１３０には、２本の平行なエンボス形状が形成されている。エンボス部１３０は、主支柱５１とガード７１とにまたがって形成され、連結部分の強度を補強している。補強辺１３１が存在しない連結部分にエンボス部１３０があるので、連結部分が折れ曲がることがない。
【０１０８】
図２８は、Ｈ形の支柱部１１０の主取付部５７の他の例である。
図２８に示すように、主取付部５７をＬ字形にしてもよい。Ｌ字の両辺にそれぞれネジ穴５９が形成されているので、図２８に示す展開図から形成された支柱部１１０に対して光源ユニット８０を９０度回転させても取り付けることができ、光源ユニット８０の取付方向の自由度が高まる。
また、主取付部５７をＬ字形にして主取付部５７が配置空間９２にできるだけ突出しないようにしているので、光源ユニット８０を主取付部５７に取り付ける作業中に、主取付部５７がヒートシンク８２を傷つけることがない。
【０１０９】
図２９は、支柱部１１０の他の概略展開例である。
図２９の（ａ）の展開図に示すように、１本の横方向のガード７１と１本の縦方向のガード７１があってもよい。
図２９の（ｂ）の展開図に示すように、１本の横方向のガード７１と２本の縦方向のガード７１があってもよい。
図２９の（ｃ）の展開図に示すように、３本の横方向のガード７１と１本の縦方向のガード７１があってもよい。
図２９の（ｄ）の展開図に示すように、２本の横方向のガード７１があってもよい。
図２９の（ｅ）の展開図に示すように、２本の斜め方向のガード７１があってもよい。
図２９の（ｆ）の展開図に示すように、３本の主支柱があってもよい。３本の主支柱がある場合は、主支柱５２が９０度に折り曲げられるので、２個のＨ形の支柱部が１部品として製造できる。
図２９の（ｇ）の展開図に示すように、４本の主支柱があってもよい。４本の主支柱がある場合は、主支柱５２と主支柱５３とが９０度に折り曲げられるので、３個のＨ形の支柱部が１部品として製造できる。
このように、１枚の板金から折り曲げ加工して支柱部１１０を製造することができる。
【０１１０】
＊＊＊照明器具１００の他の構成＊＊＊
図３０から図３５は、光源ユニット８０のサイズが異なる照明器具１００の構成例であるが、図３０から図３５に示すＨ形の支柱部１１０は、すべて、同じ形状であり同じ大きさである。
【０１１１】
図３０は、２×３の光源ユニット８０を用いた照明器具１００の斜視図であり、図３１は、分解斜視図である。
【０１１２】
図３２は、２個の２×２の光源ユニット８０を用いた照明器具１００の斜視図であり、図３３は、分解斜視図である。
２個の２×２の光源ユニット８０を用いる場合は、対向して配置された支柱部１１０の主支柱を連結したガード７２がある。ガード７２は、支柱枠組５０を形成する１部品であり、ガード７２は、あらかじめ製造しておく。
２個の支柱部１１０を２本のガード７２で連結することにより２個の配置空間９２からなる合同空間９３が形成される。
ガード７２の両端部の端辺はストッパ１１１に突き当てられ、ガード７２の両端部の上辺はストッパ１１２に突き当てられて、ガード７２がネジ穴５８にネジ止めされている。
ガード７２は、２個の支柱部１１０の間隔を固定しており、２個の光源ユニット８０が分離するのを防止している。
また、中間支柱６１は、配置空間９２の支柱部１１０が配置されていない面に配置されており、中間支柱６１は、中間取付部６３の２個のネジ穴６８により、２個の光源ユニット８０の両方にネジ止めされている。中間支柱６１も、２個の光源ユニット８０が分離するのを防止している。
中間支柱６１は、ガード７２がある面に配置されるので、中間支柱６１とガード７２とをネジ止めすれば、支柱枠組５０の強度がさらに増加する。
【０１１３】
図３４は、２個の２×３の光源ユニット８０を用いた照明器具１００の斜視図であり、図３５は、分解斜視図である。
２個の２×３の光源ユニット８０を用いる場合は、４個のＨ形の支柱部１１０を使用する。２個の支柱部１１０を対向させて隣り合わせに配置し、２個の配置空間９２により合同空間９３を形成している。
図３５の連結具１２０は、隣り合わせになった２個の光源ユニット８０に固定される。連結具１２０は、中間取付部６３を２個合わせた形状をしている。連結具１２０は、中間支柱６１の中間取付部６３のネジ穴６８と同じ間隔のネジ穴を２セット有し、２個の光源ユニット８０の両方にネジ止めされる。連結具１２０は、２個の光源ユニット８０が分離するのを防止している。
２個の支柱部１１０を隣り合わせの支柱板にはネジ穴５８があり、隣り合わせになった支柱板をネジ止めして固定して、２個の光源ユニット８０が分離するのを防止してもよい。
なお、図１９と図３０と図３４に示した照明器具１００において、支柱枠組５０の強度を増加させたい場合には、長さの異なるガード７２を製造しておき、対向して配置された２個の支柱部１１０を２本のガード７２で連結するようにすればよい。
【符号の説明】
【０１１４】
２０  アーム、２２  突起軸、２４  弧状穴、２６  ボルトナット、２８  軸穴、３０  電源ユニット、４０  天板、４２  板部、４４  スカート部、５０  支柱枠組、５１  主支柱、５２  主支柱、５３  主支柱、５４  主支柱、５５  支柱板、５６  支柱板、５７  主取付部、５８  ネジ穴、５９  ネジ穴、６０  ネジ挿入部、６１  中間支柱、６２  平板、６３  中間取付部、６４  補強部、６５  天取付部、６６  平板穴、６７  平板穴、６８  ネジ穴、７１  ガード、７２  ガード、７３  ガード、７４  ガード、７５  ガード穴、８０  光源ユニット、８１  ＬＥＤ、８２  ヒートシンク、８３  放熱板、８４  放熱フィン、８５  フィン隙間、８６  ＬＥＤ基板、８７  反射鏡、９０  カバー、９２  配置空間、９３  合同空間、９４  上開口部、９５  下開口部、９６  放熱空間、９８  上通気窓、９９  下通気窓、１００  照明器具、１０１  ネジ、１０２  ネジ、１０３  ネジ、１０４  ネジ、１１０  支柱部、１１１  ストッパ、１１２  ストッパ、１１３  補強辺、１２０  連結具、１３０  エンボス部、１５０  取付板、１５１  取付面、１５２  周板、１６０  ソケット、１８０  反射鏡、１８１  鏡部、１８２  開口部、１８３  放射口、１８４  鍔部、１８５  凸受部、１８６  立壁、１８７  半円筒部、１９０  カバー、１９１  放射板、１９２  側板、１９３  凸部、１９４  隆起部。
【図１】
2020074347.tif 000003
【図２】
2020074347.tif 000004
【図３】
2020074347.tif 000005
【図４】
2020074347.tif 000006
【図５】
2020074347.tif 000007
【図６】
2020074347.tif 000008
【図７】
2020074347.tif 000009
【図８】
2020074347.tif 000010
【図９】
2020074347.tif 000011
【図１０】
2020074347.tif 000012
【図１１】
2020074347.tif 000013
【図１２】
2020074347.tif 000014
【図１３】
2020074347.tif 000015
【図１４】
2020074347.tif 000016
【図１５】
2020074347.tif 000017
【図１６】
2020074347.tif 000018
【図１７】
2020074347.tif 000019
【図１８】
2020074347.tif 000020
【図１９】
2020074347.tif 000021
【図２０】
2020074347.tif 000022
【図２１】
2020074347.tif 000023
【図２２】
2020074347.tif 000024
【図２３】
2020074347.tif 000025
【図２４】
2020074347.tif 000026
【図２５】
2020074347.tif 000027
【図２６】
2020074347.tif 000028
【図２７】
2020074347.tif 000029
【図２８】
2020074347.tif 000030
【図２９】
2020074347.tif 000031
【図３０】
2020074347.tif 000032
【図３１】
2020074347.tif 000033
【図３２】
2020074347.tif 000034
【図３３】
2020074347.tif 000035
【図３４】
2020074347.tif 000036
【図３５】
2020074347.tif 000037